Podtech/llm-jp-corpus-v4-ja_patent huggingface dataset:
(57)【要約】      （修正有）【課題】長期駐車したまま動かさない車両の車載バッテリーは、自然放電や車両の待機電力消費により電圧低下し、エンジン始動困難になったり、放電時に発生する不活性物質が電極に付着して容量低下が起こり性能劣化が進行する。それを防止するために、駐車中であっても車載バッテリーをトリクル充電できる装置を提供する。【解決手段】本装置は、太陽光発電パネル１で発電した電力を一旦「１２Ｖ蓄電池８」に充電し、その充電された電力を昇圧回路６により昇圧して車載バッテリー１３を充電する。太陽のない夜間でも安定して充電状態を維持することでバッテリーを常に最良の状態に保ち、寿命を伸ばすことができる。【選択図】図１
0003224203.tif 000002
【実用新案登録請求の範囲】
【請求項１】
太陽光発電パネルとその起電力を蓄電するための「１２Ｖ蓄電池」及び昇圧回路を組み合わせ、自動車等の車載バッテリーをトリクル充電する装置
【考案の詳細な説明】
【技術分野】
【０００１】  本考案は、太陽光発電パネルと「１２Ｖ蓄電池」と昇圧回路を組み合わせ、自動車等の車載バッテリーをトリクル充電する装置に関するものである。
【背景技術】
【０００２】  １，２週間に一度使うかどうかの車両は、駐車中の間、車載バッテリーは容赦なく自然放電が進み、バッテリーの寿命を縮め、最悪の場合エンジンスタートができなくなることがある。
【考案の概要】
【考案が解決しようとする課題】
【０００３】  車載バッテリーの自然放電を防ぐ唯一の方法は、充電することであるが、月極駐車場では商用電源をもって充電することも困難であり、たまに車両を走行させることが簡易な解決策となる。しかし、走行途中の一旦停止アイドリングでさえエンジンストップが推奨される昨今の風潮に照らし充電のためだけのアイドリングや走行は大きな無駄である。従って、駐車中であっても充電を継続することで車載バッテリーの自然放電を防止しようとするものである。
【課題を解決するための手段】
【０００４】  本考案は、車両の周囲に４０Ｗ程度の太陽光発電パネルが置ける青空スペース（０．２ｍ２程度）があれば、晴天の日には太陽光発電パネルの起電力を「１２Ｖ蓄電池」に充電することができることから、蓄電された電力をもって、車載バッテリーをトリクル充電するのが本考案の装置であるが、「１２Ｖ蓄電池」の出力電圧では車載バッテリーを十分に充電できないので、電圧を１４Ｖに昇圧して車載バッテリーに給電することで自然放電を解決している。【０００５】  車載バッテリーへ給電するためには、車載バッテリー端子へ接続すればいいが、あらかじめ車両バッテリーに給電するためのＤＣジャックを設けておけば車両のボンネットを開閉することなく軽易に接続することができる。
【考案の効果】
【０００６】  太陽があれば駐車中の車両をトリクル充電できるように工夫した本考案は、車載バッテリーの自然放電を防ぎ、寿命を大幅に伸ばすことができる。車載バッテリーの短期間での取り替えは省資源・省エネにも逆行し、つまり本考案は省資源対策でもある。また、農業機械はシーズン以外は使われないことが多く、本考案は農業用トラクター等のバッテリー電圧を最良の状態に保つことができる。
【図面の簡単な説明】
【０００７】
【図１】は、本考案の構成例を示す概略図（断面）である。
【図２】は、本考案に関する接続図の例である。
【考案を実施するための形態】
【０００８】  太陽光発電パネルは２０Ｖ４０Ｗ程度あればよく、縦横４０ｃｍくらいの大きさであるから、設置スペースはそれほど広くなくてもいい。
晴天の日に太陽光発電パネルの電圧（１８〜２０Ｖ）を効率のいい降圧回路で１３Ｖほどに降圧し、逆流防止ダイオードを介して「１２Ｖ蓄電池」に接続することで太陽光発電パネルの起電力を蓄電することができ、この「１２Ｖ蓄電池」を簡易な回路で１４Ｖに昇圧し、逆流防止ダイオードを介して車載バッテリーに給電する。
【０００９】  太陽光発電パネルで得られる僅かな電力を備蓄する「１２Ｖ蓄電池」や降圧・昇圧するための電気回路は、太陽光発電パネルの下にでも置くことができる。また、この装置と車両との接続は、車載バッテリーから車両の適当な場所に接続用ＤＣジャックをあらかじめ取り出しておけば、本装置と車載バッテリーがＤＣプラグで接続され、車両を使う際には車両からＤＣプラグを抜くだけで済む。
わずかな電力と小さな電気回路で実用になるのは、微少な電流でも継続して通電することで車載バッテリーの自然放電を防止することができるからである。
【実施例】
【００１０】  以下、添付図面に従って実施例を説明する。１は太陽光発電パネル、晴天のもとで起電力を発生し、発生した電力は導線２を通じ、接続ボックス７へ入り、３の降圧回路に接続して電圧を１３Ｖにし、逆流防止ダイオード４を経由して導線５によって１２Ｖ蓄電池８へ接続する。【００１１】  １２Ｖ蓄電池８を昇圧回路６で１４Ｖに昇圧し、導線９により車載バッテリー１３へ接続するが、接続に際してはＤＣプラグ１０と車載側のＤＣジャック１１から逆流防止ダイオード１２を経由して電気的に車載バッテリー１３に接続され、トリクル充電を実現する。【００１２】  太陽光発電パネル１で発電しても１２Ｖ蓄電池８の電圧が１３Ｖくらいになると８への充電電流は流れなくなり、１２Ｖ蓄電池８が過充電になることはない。また、車載バッテリー１３の充電が進み電圧が１４Ｖになると電位差がなくなり、１３への充電電流はますます微弱になる。【００１３】  一般的に車載用バッテリーの充電終了電圧は１３．８Ｖとされており、昇圧後の本装置の出力電圧を１４Ｖにしておけば途中に逆流防止ダイオード１２による電圧降下などから車載バッテリー１３の電圧は１３．８Ｖを超えることはない、【００１４】  逆流防止ダイオードを車両側に配置することで、仮にＤＣジャック付近で車体ボディアース１４とプラス端子が短絡した場合でも車載バッテリー１３からの短絡電流を防止することができる。
【符号の説明】
【００１５】１    太陽光発電パネル
２    太陽光発電パネルと降圧回路を接続するための電線
３    太陽光発電パネルの電圧を１３Ｖに降圧する回路
４    逆流を防止するダイオード
５    １２Ｖ蓄電池の導線
６    １２Ｖ蓄電池の電圧を１４Ｖに昇圧する回路（電流制限付き）
７    接続ＢＯＸ
８    １２Ｖ蓄電池
９    車載バッテリーに接続するための導線
１０  ＤＣプラグ
１１  ＤＣジャック
１２  逆流を防止するダイオード
１３  車載バッテリー
１４  車体ボディーアース
１５  太陽光発電パネルの支持架台
【図１】
0003224203.tif 000003
【図２】
0003224203.tif 000004
(57)【要約】      （修正有）【課題】利便性を高めたクリップボードを提供する。【解決手段】表面にボードとボード面の上部に書類を挟んで保持するためのクリップ４とを備えたクリップボード１であって、前記ボードを身体に固定して保持するための肩紐を通す三角カン７を設け、しかも前記三角カンを右辺上部の角、左辺上部の角、左辺中央部、左辺下部の角（右辺１箇所、左辺３箇所）に備えたことにより、右辺上部の三角カンに通した肩紐は固定したまま、左辺の肩紐を上部、中央部、下部のいずれかの三角カンに通すことで容易に３段階の長さに調節ができる。【選択図】図１
0003224208.tif 000002
【実用新案登録請求の範囲】
【請求項１】
表面にボードとボード面の上部に書類を挟んで保持するためのクリップとを備えたクリップボードであって、前記ボードの外周を保護するために縫い付けられたバイアステープと、前記ボードの左右端にはボードを身体に固定して保持するための肩紐を通す紐固定具を複数備えたことを特徴とするクリップボード。
【請求項２】
前記紐固定具は三角カンとし、前記ボードの右辺上部の角、左辺上部の角、左辺中央部、及び左辺下部の角にそれぞれ設けられるとともに、前記ボード面の下部角部２箇所に書類を挟んで押さえるための紙押さえをさらに設けたことを特徴とする請求項１記載のクリップボード。
【考案の詳細な説明】
【技術分野】
【０００１】  本考案は、書類を挟むためのクリップが取り付けられたクリップボードに関する。
【背景技術】
【０００２】  クリップボードは、通常、クリップ部に書類を挟んで使用され、ボードは書類に筆記する際の下台としての機能を有している。屋外での使用や、立位での使用の際における利便性向上のため、以前よりボードに備えられた孔に肩紐を通してボードを身体に固定して保持する機能を備えたボードも存在する（特許文献１又は２参照）。
【先行技術文献】
【特許文献】
【０００３】
【特許文献１】実用新案登録第３０６６１０３号  公報
【特許文献２】実用新案登録第３０７７６５２号  公報
【考案の概要】
【考案が解決しようとする課題】
【０００４】  従来、肩紐を通してボードを身体に固定して保持する機能を有したクリップボードは、上下左右の四角部に紐を通す孔が設けられていることが多く、肩紐の長さを調節するために、肩紐を固定する位置を上下左右いずれか２箇所の孔に付け替える必要があるため長さの調節が煩雑であった。
【課題を解決するための手段】
【０００５】  本考案は上記課題を解決するために、表面にボードとボード面の上部に書類を挟んで保持するためのクリップとを備えたクリップボードであって、前記ボードの外周を保護するために縫い付けられたバイアステープと、前記ボード面の左右端にはボードを身体に固定して保持するための肩紐を通す三角カンを適切な位置に複数備え、さらに前記ボード面の下部角部２箇所に書類を挟んで押さえるための紙押さえを備えたことを特徴としている。
【考案の効果】
【０００６】  上述の様に、ボード面側に肩紐を通す三角カンを適切な位置に複数設けたことにより、クリップボードの使用者が身体の大きさに合わせて肩紐の長さを調節する際に、例えば右辺上部の三角カンに通した肩紐は固定したまま、左辺の肩紐を上部、中央部、下部のいずれかの三角カンに通すことで容易に３段階の長さに調節ができるなど調節作業を大幅に簡素化・簡略化することができる。
また、ボードを身体に吊るした状態でもボード面を表に向けたまま三角カンの位置を確認しながら紐の長さ調節を行えるので作業性が向上する。
【図面の簡単な説明】
【０００７】
【図１】本考案に係るクリップボードの表面を示す図である。
【考案を実施するための形態】
【０００８】  以下、本考案に係るクリップボードの実施の形態について図１に基づいて説明する。本考案のクリップボード１は、図１に示すように、ボード面２の外周をバイアステープ３で覆い、さらにクリップ４、持ち手５、紙押さえ６、三角カン７を設けている。
【０００９】  クリップボード１はポリ塩化ビニール等素材にて形成されたボード面２の外周をポリエステル等素材で形成されたバイアステープ３で縫合されており、ボード面２の上部中央に接合された金属製クリップ４と、ボード面２の下部左右２箇所にバイアステープ３によって縫合されたゴム製の紙押さえ６に書類等を挟むことでクリップボードとして機能する。
【００１０】  また、ボード面２の右辺上部の角、左辺上部の角、左辺中央部、左辺下部の角にバイアステープ３によって縫合された三角カン７に肩紐を通すことでクリップボードを身体に固定して保持することを容易としている。
【００１１】  前記三角カン７は、実施例では左辺上部の角、右辺上部の角、右辺の中央部、及び右辺下部の角に設けられているが、これ以外に例えば、左辺上部の角、右辺上部の角、右辺中央部付近２箇所、右辺下部の角の計５箇所に設けるようにしてもよい。三角カン７は、バイアステープ側に取り付け固定しているが、ボード側に直接取り付けるようにしてもよい。
また、実施例では、紐固定具として三角カン７を使用しているが、これに換えて丸カンやＤカンなどを使用してもよい。紐固定具の素材については、金属やプラスチックなど強度・耐久性を満たすものであれば特に問わない。
【００１２】  本考案に係るクリップボードは、ボードを身体に固定して保持する肩紐を通すための三角カンをボード本体に設け、しかも三角カンの位置を右辺上部の角、左辺上部の角、左辺中央部、左辺下部の角に設けることで使用者の身体に合わせた肩紐の長さ調節が容易に行えることにより、利便性の向上を図ることができる。
【符号の説明】
【００１３】１  クリップボード
２  ボード面
３  バイアステープ
４  クリップ
５  持ち手
６  紙押さえ
７  三角カン（紐固定具）
【図１】
0003224208.tif 000003
(57)【要約】      （修正有）【課題】容器本体に設けた貫通孔が、装飾やブランドイメージに代わると共に、新たな価値を創出しながら利益の確保をする食器又は花瓶を提供する。【解決手段】コップ１にコップ本体２の下端部６と底面部９との間の穴形成部３に貫通孔４を設け、透過光が影絵風に映し出される事で、貫通孔という装飾やブランドイメージに代わる新たな価値を創出し、利益の確保に役立つと共に、貫通孔は奇妙な存在となり、遊び心が生活のゆとりを演出し、新しい価値を創出するのに役立つ。【選択図】図４
0003224204.tif 000002
【実用新案登録請求の範囲】
【請求項１】
容器の底面部が、容器下端部よりも上に形成されていて、底面部よりも下側の外周面の穴形成部に、貫通孔が形成されている食器又は花瓶。
【考案の詳細な説明】
【技術分野】
【０００１】  本考案は、容器側面、下部に貫通孔を設けた食器又は花瓶に関するものである。
【背景技術】
【０００２】  容器の容量は多いほど優れたものであると一般的には思われて居り、装飾やブランドイメージを借用するなどを付け加えて価値を高めていた。
【先行技術文献】
【特許文献】
【０００３】
【特許文献１】特開  平４−９９６０３
【考案の概要】
【考案が解決しようとする課題】
【０００４】  食器又は花瓶に於いて、容量が犠牲になったり、装飾やブランドイメージが施されてなく簡素にしたりすれば、寂しいものであり、押しが弱く、みすぼらしく、はくが無く、恥ずかしい物になる。それは、一般的には受け入れ難いものである。しかしながら  余裕を望んでいる人々にとっては、貫通口という遊び心は、新たな価値がゆとりある生活の演出に役立つ事で、容量の犠牲を補い、貫通孔は装飾やブランドイメージに代え、前述の欠点を補い解決しようとするものである。
【課題を解決するための手段】
【０００５】  本考案は、容器本体の上部は、通常の容器として機能し、容器の底面部は、下端部から離れた位置にあり、容量が犠牲となるが、いわゆる高台からすると、無駄な位置だが、容器下端部と底面部の間の側面には穴形成部があり、貫通孔がある。容量の犠牲を遊び心で補う事と、装飾やブランドイメージの欠落を共に貫通孔で補うことで問題を解決している。
【考案の効果】
【０００６】  容器下部に貫通孔が無い場合、高台の高さは有っても良いが必要であるとは言えない。貫通孔が無ければ高台の高さの意味、すなわち必要性はないものと言える。それに加えて、装飾やブランドイメージによって容器の価値は支えられていたのと、装飾やブランドイメージが無ければ価値は無く、もしくは低く抑えられていた。しかしながら、本考案の貫通孔によって、ユーモアと驚き、諧謔と喜び、リラックスと高まりと遊び心が会話を誘発し、ゆとりある生活を演出し、人々の新たな価値を創出するのを役立て、本考案の貫通孔によって装飾やブランドイメージなどの、労働力やコストへの負担が軽減され、利益の確保を招くものとして役立つ。
【図面の簡単な説明】
【０００７】
【図１】  コップの正面図である。
【図２】  コップの平面図である。
【図３】  コップの背面図である。
【図４】  コップの断面図である。
【考案を実施するための形態】
【０００８】  図１及び図４を参照して本考案をコップに適用した場合を具体的に説明する。コップ１は、食器として機能する本体２と、このコップ本体２の下端部に一体的に形成された穴形成部３と、この穴形成部３に設けられた貫通孔４とを備えている。コップ本体２は、上面に開口部５を有し、下端部６が形成された底面部９に向かって縮径する断面台形状に形成されている。穴形成部３は底面部９の外周部に一体的に形成された短い筒状体として形成され、この穴形成部３の外周部には、貫通孔４が一つ形成されている。貫通孔４は半円弧状７と直線部８とを有して半円状に形成され、直線部が斜め上方を向くように設けられている。底面部９はコップ本体２と穴形成部３との境に形成されている事になる。
【実施例】
【０００９】  １２階のその場所に通されると、上がっているブラインドの窓から冬の直射日光が白いスチール机の上に射していた。私は、ハンカチをほどきながら中身のコーヒーカップ（コップ１）の無事を確認し、コーヒーカップ１の貫通孔４面を陽光にかざし、貫通孔４を探り、影絵を映し出した。実はそうやって影絵を見るのは初めての事だった。余りの天気の良さに閃いた行動だった。私は、誰かに見て貰おうと思い、そして感想を聞きたかった。待っていたＡ氏は、目の前でそれを見ると、一言、高尚ですね、と言った。今まで見たことが無いという言葉を期待していたものが、更に嬉しいものだった。高尚とはどんな意味なのですか、と尋ねた。値段ではない価値があるということです。似たものが無いという事です、とＡ氏は応えた。【００１０】  私は、我々は、意外性を待ち望んでいる。奇妙なという言葉に置き換えたが、ＮＧフレーズの案出しの時、最も適した、短く、抽象的である言葉で最も良く表している、ヘンテコという言葉。これは、自分では思いつかないもので、家内から戴いた。【００１１】  意外性を待ち望んでいる。日常、起きてから休むまで、平常の他に望む意外性は溢れている。ランチでもコーヒータイムでも望まない人はいないはずだ。【００１２】  この容器１の貫通孔４には意外性が溢れている。すなわち、液体の容器であるにも関わらず容器の下側に貫通孔がある。漏れるかも知れないが漏れないかも知れない。装飾であり、装飾だけでも無い。【００１３】  貫通孔の意外性も遊び心から生まれた。世の中にないものを造るというポジティブで軽い発想からできた貫通孔の有る食器又は花瓶。影絵として遊び、模様として見るだけでも良い。
【符号の説明】
【００１４】  １  コップ
２  コップ本体
３  穴形成部
４  貫通孔
５  開口部
６  下端部
７  半円弧状
８  直線部
９  底面部
【図１】
0003224204.tif 000003
【図２】
0003224204.tif 000004
【図３】
0003224204.tif 000005
【図４】
0003224204.tif 000006
(57)【要約】      （修正有）【課題】業務用シンクにおいて、脚の取付位置を調整し高さが変更できる組み立て式シンクを提供する。【解決手段】４本のパイプ脚２と、シンク本体８と、シンク本体に固定された脚より広い径の差し込み側パイプ１とを備える、業務用シンクにおいて、パイプ脚を差し込み側パイプに差し込むことで業務用シンクの高さを調節する。脚より広い径のパイプをシンク本体の内側四隅にあらかじめ固定しておき、受け側のパイプには２カ所の穴を開けておき、脚を差し込んだのちにその穴からイモネジ２個でパイプ脚を固定する。【選択図】図１
0003224292.tif 000002
【実用新案登録請求の範囲】
【請求項１】
業務用シンクにおいて、脚の取付位置を調整する事が出来る為、高さが変更できる事を特徴とする組み立て式シンク。
【考案の詳細な説明】
【技術分野】
【０００１】本考案は、飲食店やホテルなどで例えば食品や食器類を洗浄する為に使われる業務用シンクの高さ調整に関するものである。
【背景技術】
【０００２】業務用シンクの一般的な高さの規格は８００ｍｍである事が多い。また、一般的な業務用シンクの脚は４本であるが、それぞれの脚には下部にアジャスターと呼ばれる高さ調整の部品が付いているが、水平に設置する為の物である為、数センチ程度しか調整が出来ないのが通常である。
【考案の概要】
【考案が解決しようとする課題】
【０００３】一般的な業務用シンクは高さの規格が少なく高さに制限があり、好みの高さに変更する事が出来なかった。そればかりか、勾配の急な厨房ではアジャスターだけでは本体を水平にする事ができず、例えばタイルやブロックなど脚の下に敷いて高さを調整する事もあり、そこにゴミなどが溜まる為不衛生となったり、不安定である為危険であり設置方法に問題があった。
【課題を解決するための手段】
【０００４】シンクの４本全ての脚を差し込み式構造にする方法として、本体に固定されたパイプにパイプ脚を差し込む事とする。具体的には受け側のパイプについては、脚より広い径のパイプをシンク本体の内側四隅にあらかじめ固定しておく。その受け側のパイプには２カ所の穴を開けておき、脚を差し込んだのちにその穴からイモネジ２個でパイプ脚を固定する。
【考案の効果】
【０００５】本考案によれば、シンクの脚を差し込み式構造にし、脚の固定にはイモネジを使用する事で高さの調整が出来るようになった。また、勾配の急な厨房においてアジャスターだけでは長さが足らずに水平に出来ない場合でも、床が低い部分の脚を伸ばす事で本体を水平に出来るようになり、例えばタイルやブロックなど脚の下に敷いて高さを調整する必要もなくなり、衛生的でより安全な設置が可能となった。
【図面の簡単な説明】
【０００６】
【図１】本考案の組み立て式シンク本体の正面断面図である
【図２】本考案の脚の差し込み構造を表す側面断面図である
【図３】本考案の差し込み部分及び脚の断面図である。
【考案を実施するための形態】
【０００７】以下に、図面を参照して、本願に係る発明を実施するための形態について説明する。本考案に係るシンクの構成は、上記実施形態に何ら限定されるものではなく、本発明を逸脱しない範囲で、必要に応じて変更することができる。
【０００８】図１は組み立て式シンクの正面断面図である。槽  ７、化粧板５、差し込み受け側パイプ  １は、１体となっており、脚２（４本）、スノコ板６  からなる構成となっている。
【０００９】図２は組み立て式シンクの側面断面図である。反対側面図面は同じである為省略する。内容については、図１と同じである。
【００１０】図３は差し込み側パイプとパイプ脚との取付断面図である。差し込み側パイプ１に、パイプ脚２を差し込む構造となっている。パイプ脚２の位置に関わらず、パイプ脚２を１本につきイモネジ４を２個使用する為、ズレることなく固定する事が出来る。
【産業上の利用可能性】
【００１１】本考案に係る組み立て式シンクは、上記の如く優れた効果を奏するものであり、飲食店やホテルなどで食品や食器類を洗浄する為の機器として、また一般家庭でも好適に用いる事ができる。
【符号の説明】
【００１２】１．差し込み受け側パイプ
２．パイプ脚
３．アジャスター
４．イモネジ
５．化粧板
６．スノコ板
７．槽
８．シンク本体
【図１】
0003224292.tif 000003
【図２】
0003224292.tif 000004
【図３】
0003224292.tif 000005
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
４本のパイプ脚と、シンク本体と、前記シンク本体に固定された前記脚より広い径の差し込み側パイプとを備える、業務用シンクにおいて、前記パイプ脚を前記差し込み側パイプに差し込むことで業務用シンクの高さを調節する事を特徴とする業務用シンク。
(57)【要約】      （修正有）【課題】食材カスを効率よく回収できるカス受けを設けた電気式グリドル調理機を提供する。【解決手段】左右にガードを設けたカス受け１を長方形の鉄板に設置した。【選択図】図１
0003224298.tif 000002
【実用新案登録請求の範囲】
【請求項１】
ガード付きカス受けを設置することで、電気式グリドル調理機で調理した際に出る油及び食材カスを効率よく回収する事を特徴とする電気式グリドル調理機。
【請求項２】
鉄板裏面に溝を入れる事で鉄板上の油が鉄板裏面を伝って、機器本体内部へ伝わりにくい事を特徴とする電気式グリドル調理機。
【考案の詳細な説明】
【技術分野】
【０００１】本考案は飲食店などで例えばお肉、野菜などの食材、お好み焼き、焼きそば、パンケーキなど様々な鉄板焼き料理に使用する電気式グリドル調理機に関するものである。
【背景技術】
【０００２】飲食店などで電気式グリドル調理機によって調理する際には食用油、バター等を使用し、また食材からも油及び食材カスなどが出るのが通常である。
【考案の概要】
【考案が解決しようとする課題】
【０００３】一般的なカス受けは鉄板の横幅より小さい物を取り付けただけの簡易的な物であるため、油や食材カスを取りこぼす事が多く、さらには鉄板裏を伝って本体内部へ油が入り込んでしまい、機器本体や厨房内が不衛生になる問題があった。
【課題を解決するための手段】
【０００４】鉄板の横幅より外側になるように左右にガードを設けたカス受けを調理機器に設置する。【０００５】鉄板上面からの油が機器内部に伝わらないように、鉄板裏面に溝を施し溝により油が留まるようにする。
【考案の効果】
【０００６】本考案によれば鉄板手前にガードを左右に設けたカス受けを設置する事で、鉄板で調理した際に出る油及び食材カス等を効率よく回収することができるようになり、さらには鉄板裏面に溝を入れたことで、調理した際に出る油が溝を伝って下にあるカス受けに落ちる為、グリドル調理機本体内部及び周辺へ垂れなくなった。その結果、厨房内を衛生的に保つことが出来るようになった。【０００７】カス受けは取り外し可能である為、容易にカス等を捨て洗浄する事が可能である。
【図面の簡単な説明】
【０００８】
【図１】本考案のグリドル調理機本体の外観図である
【図２】本考案の鉄板裏の溝を表す側面断面図である
【図３】本考案のカス受けとグリドル調理機本体の取付側面図である
【考案を実施するための形態】
【０００９】以下に、図面を参照して、本願に係る発明を実施するための形態について説明する。本考案に係る電気式グリドル調理機の構成は、上記実施形態に何ら限定されるものではなく、本発明を逸脱しない範囲で、必要に応じて変更することができる。
【００１０】図１は電気式グリドル調理機の斜視図である。図１に示すように本体正面に設けた左右ガード付きカス受け１が鉄板正面の端までカバーされており、カスを端まで取りこぼす事無く受け止めておくことができる構造である。
【００１１】図２は鉄板の断面図である。示すように鉄板裏面に溝３が入っている。鉄板正面の上から伝わる油は裏側の溝で止まりその奥へは入らない構造になっている。
【００１２】図３は左右ガード付きカス受け１とグリドル調理機本体との取付側面図である。示すように鉄板の正面からの油や食材カスと鉄板裏面の溝からの油を効率よく回収出来るようにカス受けが鉄板裏の溝３から鉄板前方共にとりこぼさない様に取り付けられている。
【産業上の利用可能性】
【００１３】本考案に係る電気式グリドル調理機は、上記の如く優れた効果を奏するものであり、飲食店などで調理をするための機器として好適に用いる事ができる。
【符号の説明】
【００１４】１左右ガード付きカス受け
２鉄板
３鉄板裏面溝
【図１】
0003224298.tif 000003
【図２】
0003224298.tif 000004
【図３】
0003224298.tif 000005
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
左右にガードを設けたカス受けを長方形の鉄板に設置した電気式グリドル調理機。
【請求項２】
鉄板裏面に溝を有した、請求項１に記載の電気式グリドル調理機。
(57)【要約】【課題】棒状の食器具を、安定的に保持することができ、また側面の縁部に外側に向けた出っ張り状のホルダーがないため、手持ちにおいても邪魔とならず、しかも洗浄も容易に行えるものとした紙製の食器皿を提供する。【解決手段】底部２から立ち上がった側面３を有する紙製の食器皿１であって、前記側面３の縁部４に、棒状の食器具Ｐの両端Ｐ１，Ｐ２を載置するための、互いに対向するよう斜めに切欠した二つの溝部５ａ，５ｂを有して構成される。【選択図】図２
0003224265.tif 000002
【実用新案登録請求の範囲】
【請求項１】
底部から立ち上がった側面を有する紙製の食器皿であって、前記側面の縁部に、棒状の食器具の両端を載置するための、互いに対向するよう斜めに切欠した二つの溝部を有してなることを特徴とする食器皿。
【請求項２】
二つの溝部のうち一方の溝部を貫通孔に替えて、該貫通孔に食器具の先端を挿通させ、後端を他方の溝部に載置させることを特徴とする請求項１に記載の食器皿。
【請求項３】
貫通孔は横向き長円または楕円の形状を有していることを特徴とする請求項２に記載の食器皿。
【考案の詳細な説明】
【技術分野】
【０００１】
本考案は、棒状の食器具を安定的に保持できる紙製の食器皿に関する。
【背景技術】
【０００２】
従来、飲食用の食器皿には、箸やスプーン、フォーク、ナイフ等、他の食器具を保持する機能を有するものがある。
【０００３】
例えば、特許文献１に開示されているように、お椀やお皿等の底部から立ち上がった側面の縁部に、棒状の食器具の両端を載置するための、縦溝状もしくは横溝状の二つの溝部を備えている。
【０００４】
また、特許文献２に開示されているように、食器皿の底部から立ち上がった側面の縁部に、箸やスプーンを一時的に保持できるよう外周に沿ってＬ字状の突起によるホルダーを備えている。
【先行技術文献】
【特許文献】
【０００５】
【特許文献１】実開昭５５−２０９７７号公報
【特許文献２】実用新案登録第３２１０８８９号公報
【考案の概要】
【考案が解決しようとする課題】
【０００６】
しかしながら、上記特許文献１の場合、溝部は縦溝状もしくは横溝状である単なる窪み状のため、容易に棒状の食器具が外れてしまい、安定的に保持することができない。
【０００７】
また、上記特許文献２の場合、Ｌ字状の突起によるホルダーは、箸やスプーンを安定的に保持することができないと同時に、ホルダー自体食器皿の外縁部より外側に出っ張っているため、手持ちにおいても邪魔となり、しかも洗浄がし難かった。
【０００８】
そこで、本考案は叙上のような従来存した諸事情に鑑み創出されたもので、棒状の食器具を、安定的に保持することができ、また側面の縁部に外側に向けた出っ張り状のホルダーがないため、手持ちにおいても邪魔とならず、しかも洗浄も容易に行えるものとした主として紙製の食器皿を提供することを目的とする。
【課題を解決するための手段】
【０００９】
上述した課題を解決するために、本考案に係る食器皿にあっては、底部から立ち上がった側面を有する紙製の食器皿であって、前記側面の縁部に、棒状の食器具の両端を載置するための、互いに対向するよう斜めに切欠した二つの溝部を有してなることを特徴とする。
【００１０】
二つの溝部のうち一方の溝部を貫通孔に替えて、該貫通孔に食器具の先端を挿通させ、後端を他方の溝部に載置させることを特徴とする。
【００１１】
貫通孔は横向き長円または楕円の形状を有していることを特徴とする。
【考案の効果】
【００１２】
本考案によれば、棒状の食器具を、安定的に保持することができ、また側面の縁部に外側に向けた出っ張り状のホルダーがないため、手持ちにおいても邪魔とならず、しかも洗浄も容易に行うことができる。
【００１３】
すなわち、本考案では、底部から立ち上がった側面を有する紙製の食器皿であって、前記側面の縁部に、棒状の食器具の両端を載置するための、互いに対向するよう斜めに切欠した二つの溝部を有してなるので、この斜めに切欠した二つの溝部によって、棒状の食器具の両端を安定的に保持することができる。
【００１４】
二つの溝部のうち一方の溝部を貫通孔に替えて、該貫通孔に食器具の先端を挿通させ、後端を他方の溝部に載置させるので、貫通孔に食器具の先端を挿通させることで、安定的に保持することができる。
【００１５】
貫通孔は横向き長円または楕円の形状を有しているので、スプーンやフォークのように器具の先端が幅広である場合でも、食器具の先端を容易に挿通させることができる。
【図面の簡単な説明】
【００１６】
【図１】本考案を実施するための一形態における食器皿の斜視図である。
【図２】同じく使用状態の斜視図である。
【図３】本実施形態の他例を示す斜視図である。
【図４】同じく他例の使用状態の斜視図である。
【考案を実施するための形態】
【００１７】
以下、図面を参照して本考案の実施の一形態を詳細に説明する。
【００１８】
図１に示すように、食器皿１は、食品を載せるための特に紙製の皿であって、略円形の底面２と、該底面２から略上方へ湾曲状に立ち上がった側面３とを有している。
【００１９】
図２に示すように、側面３の縁部４には、任意の点かＡから略等間隔の位置に、互いに対向するよう斜めに切欠した二つの溝部５ａ，５ｂを切欠してある。これら二つの溝部５ａ，５ｂに、箸、スプーン、フォーク等の棒状の食器具Ｐの両端Ｐ１，Ｐ２を載置する。
【００２０】
次に、以上のように構成された形態についての使用の一例について説明すると、箸、スプーン、フォーク等の棒状の食器具Ｐの両端Ｐ１，Ｐ２を、二つの溝部５ａ，５ｂに載置する。このとき、これら二つの溝部５ａ，５ｂは、それぞれが幅広で且つ互いに対向するように斜め方向に切欠してあるため、簡単には外れずに、棒状の食器具Ｐの両端Ｐ１，Ｐ２を安定的に保持することができる。
【００２１】
次に、以上のように構成された食器皿１の他例について説明すると、先ず、図３、図４に示すように、二つの溝部５ａ，５ｂのうち一方の溝部５ａ（５ｂ）を横向きに長円または楕円の形状を有する貫通孔６に替えて、該貫通孔６に食器具Ｐの先端Ｐ１を挿通させ、後端Ｐ２を他方の溝部５ｂ（５ａ）に載置させている。
【００２２】
一方の溝部５ａ（５ｂ）を長円または楕円の形状を有する貫通孔６に替えているため、食器具Ｐを安定的に保持することができると同時に、先端が幅広なスプーン、フォーク等の食器具Ｐを容易に挿入することができる。
【符号の説明】
【００２３】
Ｐ…食器具
Ｐ１…先端
Ｐ２…後端
Ａ…任意の点
１…食器皿
２…底部
３…側面
４…縁部
５ａ，５ｂ…溝部
【図１】
0003224265.tif 000003
【図２】
0003224265.tif 000004
【図３】
0003224265.tif 000005
【図４】
0003224265.tif 000006
(57)【要約】      （修正有）【課題】ポケットに収納された物が簡単に脱落しないハンカチを提供する。【解決手段】一枚の布１を均等な複数個の面に折り畳んで使用するハンカチで、折り目２に囲まれた複数個の面のうちの少なくとも一つの面３には、折り目２の向きにポケットの入口５を有するポケット４を備えている。上記ポケット４には、必要に応じて保温材又は保冷剤が収納される。【選択図】図１
0003224096.tif 000002
【実用新案登録請求の範囲】
【請求項１】
一枚の布を均等な複数個の面に折り畳んで使用するハンカチであって、該複数個の面のうちの少なくとも一つの面に、折り目の向きに入口を有するポケットを備えたことを特徴とするハンカチ。
【請求項２】
上記ポケットには、保温材又は保冷剤が収納されていることを特徴とする、請求項１に記載のハンカチ。
【考案の詳細な説明】
【技術分野】
【０００１】
本考案は、一枚の布を均等な複数個の面に折り畳んで使用するハンカチに関する。
【背景技術】
【０００２】
ハンカチに小物類等を収納するためのポケットを付けて使用することは、これまでに多数提案されている。
例えば、特許文献１では、一枚の布からなるハンカチの一面にマスクを収納するポケットを設けている。また、特許文献２では、大きさの異なる２枚の布を利用してポケット付きハンカチとするものである。
【０００３】
ところが、これまで提案されたハンカチでは、一枚の布からなるハンカチに小物類やマスクを収納するためのポケットを付加するのみであった。すなわち、一枚の布を均等な複数個の面に折り畳んで使用するハンカチにポケットを設けることは、これまで提案されていない。
【先行技術文献】
【特許文献】
【０００４】
【特許文献１】実用新案登録第第３１５９４７２号公報
【特許文献２】実用新案登録第第３１９２４１９号公報
【考案の概要】
【考案が解決しようとする課題】
【０００５】
本考案は、これまでの背景技術に鑑み、一枚の布を均等な複数個の面に折り畳んで使用するハンカチに有効にポケットを設けるとともに、このポケットに収納された物が簡単に脱落しないハンカチを提供することを課題とする。
【課題を解決するための手段】
【０００６】
本考案の課題を解決するための手段は、次のとおりである。
（１）一枚の布を均等な複数個の面に折り畳んで使用するハンカチであって、これら複数個の面のうちの少なくとも一つの面に、折り目の向きに入口を有するポケットを備えたことを特徴とするハンカチ。
（２）上記ポケットには、保温材又は保冷剤が収納されていることを特徴とする、上記（１）に記載のハンカチ。
【考案の効果】
【０００７】
本考案によれば、次のような効果が得られる。
（１）均等な複数個の面のうちの一つの面内にポケットが収まっているため、ハンカチの使用に当たって、ポケットが支障とならない。しかもポケットの入口を折り目の向きにしたため、ハンカチの使用に際しポケットに収納された物が、外部に脱落することがない。
（２）ポケットには、保温材又は保冷剤が収納されているため、ハンカチをお手拭きとするばかりでなく、寒冷時の採暖あるいは猛暑時の冷却にも使用できる。
【図面の簡単な説明】
【０００８】
【図１】本考案に係るハンカチの平面展開摸式図である。
【考案を実施するための形態】
【０００９】
（実施例）
本考案に係るハンカチは、一枚の布を均等な複数個の面に折り畳んで使用する。また、ハンカチを使用しないときは、折り畳んだまま洋服のポケットの中などに保管する。
図１は、本考案に係るハンカチの平面展開摸式図である。
【００１０】
図１において、１は、ハンカチとして使用する一枚の布である。この一枚の布には均等な複数個の面に折り畳む際の目安となる折り目２が設けられている。
この折り目２にしたがって均等な複数個の面に折り畳んで、これをハンカチとして使用する。
【００１１】
このハンカチとして使用する一枚の布１における均等な複数個の面のうちの一つの面３には、ポケット４が設けられている。ポケットの入口５は、折り目２の向きに設けられている。このため、一枚の布を均等な複数個の面に折り畳んでハンカチとして使用する際に、ポケット４に収納されたものが外部に脱落することがない。
ポケット４は、均等な複数個の面のうちのさらに他の一つの面に設けることにより、ハンカチに複数個設けることもできる。
【００１２】
ポケット４には、貴重品、小物類等を収納できる。
また、ポケット４に、保温材又は保冷剤を収納することもできる。
この場合には、本考案に係るハンカチをお手拭きとするばかりでなく、寒冷時あるいは猛暑時にも、ハンカチを採暖あるいは冷却のために効果的に活用することができる。
【００１３】
（本考案の技術的範囲）
本明細書に開示した実施例は、本考案に係るハンカチの理解を容易にするために例示したものであって、本考案はこれに限定されるものではない。
すなわち、本考案は、実用新案登録請求の範囲を逸脱しない限り、適宜の設計変更が可能であることは、言うまでもないことである。
【符号の説明】
【００１４】
１  ハンカチとして使用する一枚の布
２  折り目
３  均等な複数個の面のうちの一つの面
４  ポケット
５  ポケットの入口
【図１】
0003224096.tif 000003
(57)【要約】      （修正有）【課題】何度でも使用することができ、薬液や容器を選ばず、固定して設置するのではなくポンプ式ボトルがあればどこでもうがいができるコップを提供する。【解決手段】コップ１は、ポンプ式ボトル５のヘッドの軸６に備えつけるため、ポンプ式ボトルに沿うようコップの背面側に傾斜したつり下げ部が設けられ、内部に目盛を刻み下方に開口部３が設けられている。【選択図】図３
0003224024.tif 000002
【実用新案登録請求の範囲】
【請求項１】
ポンプ式ボトル（５）のヘッドの軸（６）に備えつけるための傾斜したつり下げ部（２）を設け、内部に目盛（４）を刻み下方に開口部（３）が向くことを特徴とするコップ（１）。
【考案の詳細な説明】
【技術分野】
【０００１】
本考案は、うがい薬や液体歯みがき等のポンプ式ボトルに備えるコップに関するものである。
【背景技術】
【０００２】
健康面やエチケットに気をつけるため、ポンプ式の大型ボトルを常備し自宅のみならず職場等でもうがい薬、液体歯みがき、洗口液等の薬液でうがいをする機会が増えている。
【０００３】
うがいをする際にはほぼ必ずコップを使用するが、コップを備えるためにいろいろな考案が従来よりなされている。
【先行技術文献】
【特許文献】
【０００４】
【特許文献１】実全昭５５−３７６６２号
【特許文献２】実全昭６３−９９８３０号
【特許文献３】実全昭５７−１１８７９０号
【考案の概要】
【考案が解決しようとする課題】
【０００５】
特許文献１の考案は、コップの内側にあらかじめ薬品を塗布し乾燥させているが、使い捨てなのか、同じコップでの２度目以降の使用については触れられていない。
また特許文献２の考案は、収容液を注出する容器の内筒に小コップを嵌合させているが、この容器専用であり他の薬液もしくは容器への汎用性がない。
特許文献３の考案は、コップ受具を壁に接着テープかネジか磁石で固着させているが、受具を固着するための場所を選んでしまう。
【０００６】
本考案は、何度でも使用することができ、薬液や容器を選ばず、固定して設置するのではなくポンプ式ボトルがあればどこでもうがいができることを目的とする。
【課題を解決するための手段】
【０００７】
上記課題を解決するため本考案のコップは、何度も使用できる材料であり、どの薬液のポンプ式ボトルでもヘッドの軸に備えることでどこでも設置し使用できることを特徴とする構成である。
【考案の効果】
【０００８】
本考案のコップは、例えばプラスチックやシリコーンを材料とするので何度でもうがいに使用することができる。
【０００９】
また、ヘッドの軸にコップを備えて使用するため、ポンプ式ボトルであれば、うがい薬でも液体歯みがきでも洗口液等、どの薬液でもうがいすることができ、ポンプ式ボトルが配置できる少しの空間があれば固着せずどこでもコップを設置することができる。
【図面の簡単な説明】
【００１０】
【図１】（ａ）は本考案のコップの正面側からの斜視図、（ｂ）は背面側からの斜視図である。
【図２】本考案の中央縦断面図である。
【図３】使用状態を示す斜視図である。
【考案を実施するための形態】
【００１１】
本考案のコップ１は、ポンプ式ボトル５のヘッドの軸６に備えつけるための傾斜したつり下げ部２を設け、コップ１内部には目盛４を刻み、下方に向かって開口部３となる構成である。
【実施例】
【００１２】
コップ１は図３に示すようにポンプ式ボトル５のヘッドの軸６に備えつけるため、つり下げ部２を設けている。コップ１を軸６に備えつけることで必ず開口部３は下向きとなり、コップ１の使用後の水切り等に効果を発揮する。
【００１３】
図２に示すように、コップ１は備えつける際ポンプ式ボトルに沿うよう、つり下げ部２がコップ１の背面側に傾斜している。また、薬液を水で薄める際の目安となるよう、コップ１の内部には目盛４が刻まれている。
【符号の説明】
【００１４】
１  コップ
２  つり下げ部
３  開口部
４  目盛
５  ポンプ式ボトル
６  軸
【図１】
0003224024.tif 000003
【図２】
0003224024.tif 000004
【図３】
0003224024.tif 000005
【手続補正書】
【提出日】令和1年9月12日(2019.9.12)
【手続補正１】
【補正対象書類名】実用新案登録請求の範囲
【補正対象項目名】全文
【補正方法】変更
【補正の内容】
【実用新案登録請求の範囲】
【請求項１】
ポンプ式ボトル（５）のヘッドの軸（６）に備えつけるため、ポンプ式ボトル（５）に沿うようコップ（１）の背面側に傾斜したつり下げ部（２）を設け、内部に目盛（４）を刻み下方に開口部（３）が向くことを特徴とするコップ（１）。
(57)【要約】      （修正有）【課題】洗濯物を干した際の干しじわ、型くずれ、干し縮みを抑える物干しハンガーを提供する。【解決手段】ハンガー本体１の両端に弾性特性を有するバネ素材（金属、ゴム、又はプラスチック）でできた線状あるいは、棒状のガイド２ａ、２ｂを設ける。洗濯物を干す際に、ガイド２ａ、２ｂを洗濯物の見頃部各脇下縫い目部にあてがうことによりガイドの復元力で洗濯物の前見頃、後見頃全体を引っ張った状態で干すことができる。また、両ガイド２ａ、２ｂはスライド可動することでハンガー本体１下側部に収納できる。洗濯物を干す際にガイドつまみ３ａ、３ｂはガイドストッパー４ａ、４ｂがガイド引き出し口５に当たるまで引き出す。【選択図】図２
0003224022.tif 000002
【実用新案登録請求の範囲】
【請求項１】
洗濯物の前見頃、後見頃全体を引っ張った状態で干すことを目的に、ハンガーフレームの両端に弾性特性を有するバネ素材（金属、ゴム、プラスチック）でできた線状あるいは、棒状のガイドを設けたことを特徴とする物干しハンガー
【考案の詳細な説明】
【技術分野】
【０００１】本考案は、衣類等の物干しハンガーに関するものである。
【背景技術】
【０００２】洗濯物をハンガーで干した際に、洗濯物に干しじわ、型くずれ、干し縮みが生じる。
【先行技術文献】
【実用新案文献】
【０００３】
【実用新案文献】
実登３１００６４６公報
【考案の概要】
【考案が解決しようとする課題】
【０００４】洗濯物をハンガーで干した際に生じた干しじわはアイロンがけやスチーマーがけの作業が必要となる。その作業による手間、時間の負担を軽減する。【０００５】洗濯物の型崩れや干し縮みを元に戻すためにリンス等の薬剤を使用した、り再洗いする等の方法がとられるが、その作業に要する薬剤コストや手間、時間の負担を軽減する。
【課題を解決するための手段】
【０００６】本考案は、ハンガー本体の両端に弾性特性を有するバネ素材（金属、ゴム、プラスチック）でできた線状あるいは、棒状のガイドを設け、洗濯物を干す際に両ガイドを洗濯物の各脇下縫い目部にあてがうことにより、ガイドの復元力で洗濯物の前見頃、後見頃全体を引っ張った状態で干すことで問題点を解決する。【０００７】また、両ガイドはスライド可動することでハンガー本体の下側部に収納できることを特徴とするものである。
【考案の効果】
【０００８】洗濯物の前見頃、後見頃全体を引っ張った状態で干すことで、干しじわの発生を抑えることができ、アイロンがけやスチーマーがけの手間や時間の負担が軽減される。【０００９】また、洗濯物の型崩れや干し縮みを抑えることで、型崩れや干し縮みを元に戻すためのリンス等の薬剤コストや手間、時間の負担が軽減される。
【図面の簡単な説明】
【０１０】
【図１】ガイドをハンガー本体下側部に収納した状態の平面図である。
【図２】ガイドをハンガー本体から引き出した状態の平面図である。
【図３】洗濯物を本考案に干した状態を表す平面図である。
【考案を実施するための形態】
【００１１】図１はハンガー本体１からガイド２ａ、２ｂを引き出す前の状態を表す。
【００１２】図２は本考案に洗濯物を干す際にハンガー本体１からガイド２ａ、２ｂを引き出した状態を表す。ガイドつまみ３ａ、３ｂはガイドストッパー４ａ、４ｂがガイド引き出し口５に当たるまで引き出す。
【００１３】図３は本考案に洗濯物を干した状態を表す。ガイド２ａ，２ｂはそれぞれ洗濯物の各脇下縫い目にあてがう。
【符号の説明】  １    ：  ハンガー本体
２ａ  ：  ガイド
２ｂ  ：  ガイド
３ａ  ：  ガイドつまみ
３ｂ  ：  ガイドつまみ
４ａ  ：  ガイドストッパー
４ｂ  ：  ガイドストッパー
５    ：  ガイド引き出し口
【図１】
0003224022.tif 000003
【図２】
0003224022.tif 000004
【図３】
0003224022.tif 000005
(57)【要約】      （修正有）【課題】霧吹き手段を備えた霧吹き付き容器を提供する。【解決手段】氷嚢３に霧吹き手段を付加することにより、氷水を霧状に噴霧することができ、氷を入れる容器と、霧吹き装置と、ジョイント部２を有する。【選択図】図１
0003224083.tif 000002
【実用新案登録請求の範囲】
【請求項１】
氷を入れる容器と、霧吹き装置と、ジョイント部を有する霧吹き付き容器。
【請求項２】
霧吹き装置がプッシュ式である、請求項１の霧吹き付き容器。
【請求項３】
ジョイント部がネジ式である、請求項１または２の霧吹き付き容器。
【考案の詳細な説明】
【技術分野】
【０００１】
本考案は、霧吹き手段を備えた容器に関するものである。
【背景技術】
【０００２】
夏の炎天下で、スポーツをしたり、観戦する場合、熱中症になったり、日焼けがひどくなったりする場合がある。それを防止し、体を冷やすために、甲子園ではかち割り氷を販売するなど、体を冷やすものが販売されている。
【０００３】
これらは一定の効果は得られるものの、体の一部しか冷却できず、さらに効率よく体を冷やせる手段が求められていた。
一方、霧吹きについては、特許文献１のようなものがあるが、これは、調味料容器用であり、体を冷却できものではなく、霧吹きの新たな用途も求められていた。
【先行技術文献】
【特許文献】
【０００４】
【特許文献１】実用新案登録第３０７５０５８号公報
【考案の概要】
【考案が解決しようとする課題】
【０００５】
解決しようとする問題点は、氷等で体を冷やす場合に、一部分のみ低い温度で冷却でき、その他の部分を均一に冷却できない点である。
【課題を解決するための手段】
【０００６】
本考案は、氷入容器（氷嚢など）に霧吹き手段を付加することにより、氷水を霧状に噴霧することができることを最も主要な特徴とする。
すなわち、本考案は以下の考案を提供する。
（１）氷を入れる容器と、霧吹き装置と、ジョイント部を有する霧吹き付き容器。
（２）霧吹き装置がプッシュ式である、（１）の霧吹き付き容器。
（３）ジョイント部がネジ式である、（１）または（２）のいずれか１に記載の霧吹き付き容器。
【考案の効果】
【０００７】
本考案の容器は、霧吹き手段を有するため、暑い日のスポーツ中に、氷水を体に噴霧して冷却することができるという利点を有する。
【図面の簡単な説明】
【０００８】
【図１】図１は本発明の１実施形態を示した図である。
【図２】図２は本発明の霧吹き部を示した図である。
【図３】図３は、本発明の霧吹き部の別の実施形態を示した図である。
【図４】図４は、本発明の氷嚢部と開口部を示した図である。
【考案を実施するための形態】
【０００９】
本発明によれば、氷を入れる容器と、霧吹き装置と、ジョイント部を有する霧吹き付き容器が提供される。氷を入れる容器としては、氷嚢のような材質、形態が好ましいが、これに限られない。要は、氷水を入れる容器と、それを噴霧する手段を有し、氷水を噴霧できるものであればよい。
【００１０】
氷水を入れる容器の材質としては、例えば、ゴム、ビニール、シリコンなどが挙げられるが、これらに限られず、金属やポリカーボネートなどであってもよい。氷嚢などのように、柔軟性があるものであっても、水筒のように一定の形状のものであってもよい。市販の保温容器（保温機能付き水筒など）に霧吹きを付けてもよい。
【００１１】
氷水を噴霧する霧吹き部は、上からプッシュして氷水を噴霧する方式が好ましい。これらのプッシュ式の噴霧器は、市販のものを用いてもよく、独自に設計して製作してもよい。ただし、容器に結合させるジョイント部分は、独自に設計して製作することが好ましい。
【００１２】
霧吹き部を容器に結合させる手段は、ねじ式（スクリューキャップ）であってもよく、ジョイント（例えば、ワンタッチ式の市販のジョイントなど）を用いてもよい。
【００１３】
容器の開口部は、大きな氷も入れられるように、大きめにするのが好ましい。好ましい開口部の直径は、２ｃｍ以上、３ｃｍ以上、４ｃｍ以上、５ｃｍ以上または６ｃｍ以上であり、好ましい上限は１０ｃｍ以下、９ｃｍ以下、８ｃｍ以下、７ｃｍ以下または６ｃｍ以下である。要は、氷が投入でき、霧吹き部も脱着可能なものであればよい。
【００１４】
氷を入れる容器には、氷だけを入れてもよく、適当な量の水を氷と一緒に入れてもよい。氷嚢の場合は、すぐに氷が溶けるので、最初に水を入れる必要性は少ないが、保温容器の場合は、水も入れておくのが好ましい。容器が保温性の水筒などであれば、適宜氷水を飲むこともでき、体の表面だけでなく、内部からも体を冷却できるという利点もある。氷水を飲むためのストローを蓋などに有していてもよい。
【００１５】
本発明の構成によれば、炎天下でゴルフや野球、テニスなどのスポーツをする際に、瞬時に広い範囲にわたって略均一に氷水の霧を吹きかけることができ、体を冷却し、熱中症などを予防できる効果を有すると考えられる。
【実施例】
【００１６】
（実施例１）
図１は、本考案装置の１実施例の全体図である。霧吹き部１、ジョイント部２および氷嚢３を有している。ここでは、容器の例として氷嚢で説明しているが、氷水を収納できる容器であれば特に制限されない。
【００１７】
図２は、本考案装置の霧吹き部分を示した図である。プッシュ部５の上部を下に押すことで、噴霧部４から氷水の霧が吹き出される。６はネジ構造のジョイント部である。氷嚢の開口部にこれに対応したネジがあり、ねじ込むことで、氷嚢に霧吹き部を固定できる。氷嚢中の氷水はチューブ７を通して霧吹き部に吸引される。チューブ７の先端には、ゴミを除去するフィルタを付けてもよい。
（実施例２）
【００１８】
図３は、図２とは別の霧吹き部の実施形態を示した図である。この実施形態では、プッシュ部が平たく大きくなっており、指で押さなくても、肘や腕等で押して氷水の霧を発生させることができる。この場合もジョイント部はねじ式が好ましいが、これに限られない。
【００１９】
図４は、氷嚢の開口部を示した図である。開口部８は、氷が十分通る大きさが好ましい。２のジョイント部分は、ネジや、ホースジョイント等の様式が好ましく用いられる。
【産業上の利用可能性】
【００２０】
本発明は、スポーツ用品産業に利用できる。
【符号の説明】
【００２１】
１    霧吹き部
２    ジョイント部
３    氷嚢（氷を入れる容器）
４    噴霧部
５    プッシュ部
６    ネジ蓋
７    チューブ
８    開口部
【図１】
0003224083.tif 000003
【図２】
0003224083.tif 000004
【図３】
0003224083.tif 000005
【図４】
0003224083.tif 000006